【手続補正書】
【提出日】平成18年10月3日(2006.10.3)
【手続補正１】
【補正対象書類名】特許請求の範囲
【補正対象項目名】全文
【補正方法】変更
【補正の内容】
【特許請求の範囲】
【請求項１】
車両用のバンパーシステムであって、
前壁、上壁、下壁、および後壁を有し、さらに開管状端部を有する管状ビームと、
それぞれが、前記開管状端部の関連する一方の前記後壁に取り付けられる取り付け用部分、および該取り付け用部分から、前記関連する一端を覆うように該関連する一端の周りに側方に延びるとともに、該関連する一端の前記前壁に取り付けられる場所まで前方に延びる一体的なコーナ形成部分を有する、一対の取り付け用ブラケットと
を備える、車両用のバンパーシステム。
【請求項２】
前記コーナ形成部分は、上縁部および下縁部を有し、
前記コーナ形成部分の前記上縁部および前記下縁部の長さの大部分は、前記ビームに取り付けられていない、請求項１に記載のバンパーシステム。
【請求項３】
前記コーナ形成部分は、上縁部および下縁部を含む弾性部分を有し、
該弾性部分の前記上縁部および前記下縁部は、前記ビームに取り付けられていない、請求項２に記載のバンパーシステム。
【請求項４】
車両用のバンパーシステムであって、
前壁、上壁、下壁、および後壁を有し、さらに開管状端部を有する管状ビームと、
それぞれが、前記開管状端部の関連する一方の前記後壁に取り付けられる取り付け用部分、および該取り付け用部分から、前記関連する一端を覆うように該関連する一端の周りに側方に延びるとともに、該関連する一端の前記前壁に取り付けられる場所まで前方に延びる一体的なコーナ形成部分とを有する、一対の取り付け用ブラケットと
を備え、
前記コーナ形成部分は、上縁部および下縁部を有し、
前記コーナ形成部分の前記上縁部および前記下縁部の長さの大部分は、前記ビームに取り付けられておらず、
前記コーナ形成部分は、上縁部および下縁部を含む弾性部分を有し、
該弾性部分の前記上縁部および前記下縁部は、前記ビームに取り付けられておらず、
さらに、前記コーナ形成部分の前記弾性部分は、衝突を受けると、板ばねのたわみのように前記ビームの前記関連する一端に向かってたわみ、かつ曲がるように設計される、非平面状の膨らんだ形状を有する、車両用のバンパーシステム。
【請求項５】
車両用のバンパーシステムであって、
前壁、上壁、下壁、および後壁を有し、さらに開管状端部を有する管状ビームと、
それぞれが、前記開管状端部の関連する一方の前記後壁に取り付けられる取り付け用部分、および該取り付け用部分から、前記関連する一端を覆うように該関連する一端の周りに側方に延びるとともに、該関連する一端の前記前壁に取り付けられる場所まで前方に延びる一体的なコーナ形成部分とを有する、一対の取り付け用ブラケットと
を備え、
前記コーナ形成部分は、前記関連する開口端部から離隔しており、かつコーナ車両衝突時に前記関連する開口端部に向かってたわんでエネルギーを吸収するように設計される、膨らんだ形状を有する、車両用のバンパーシステム。
【請求項６】
前記コーナ形成部分の上縁部および下縁部の全長が前記ビームに取り付けられていない、請求項１に記載のバンパーシステム。
【請求項７】
前記コーナ形成部分はそれぞれ、前記上縁部から前記下縁部まで一定の水平方向断面を有する、請求項６に記載のバンパーシステム。
【請求項８】
前記取り付け用部分は一定の水平方向断面を有する、請求項１に記載のバンパーシステム。
【請求項９】
車両用のバンパーシステムであって、
前壁、上壁、下壁、および後壁を有し、さらに開管状端部を有する管状ビームと、
それぞれが、前記開管状端部の関連する一方の前記後壁に取り付けられる取り付け用部分、および該取り付け用部分から、前記関連する一端を覆うように該関連する一端の周りに側方に延びるとともに、該関連する一端の前記前壁に取り付けられる場所まで前方に延びる一体的なコーナ形成部分とを有する、一対の取り付け用ブラケットと
を備え、
前記取り付け用部分は、
前記ビームに取り付けられるバンパー取り付け第１フランジ、
車両に取り付けられるようになっている車両取り付け第２フランジ、および
前記第１フランジと前記第２フランジとの間に延びて前記車両上で前記ビームを支持する複数の脚部を含む、
車両用のバンパーシステム。
【請求項１０】
前記ビームの前記前壁は、前記関連する一端に第１傾斜前面を含み、
前記コーナ形成部分は、前記第１傾斜前面に対して拡大した合成角を形成する第２傾斜前面を有し、
前記第１傾斜前面および前記第２傾斜前面は、合わせて前記車両のコーナを形成する、請求項１に記載のバンパーシステム。
【請求項１１】
車両用のバンパーシステムであって、
前壁、上壁、下壁、および後壁を有し、さらに開管状端部を有する管状ビームと、
それぞれが、前記開管状端部の関連する一方の前記後壁に取り付けられる取り付け用部分、および該取り付け用部分から、前記関連する一端を覆うように該関連する一端の周りに側方に延びるとともに、該関連する一端の前記前壁に取り付けられる場所まで前方に延びる一体的なコーナ形成部分とを有する、一対の取り付け用ブラケットと
を備え、
前記取り付け用部分および前記コーナ形成部分は、合わせてＷ字形ブラケットを形成する、車両用のバンパーシステム。
【請求項１２】
車両用のバンパーシステムであって、
開口端部を有する管状ビームと、
それぞれが、車両上で前記ビームを支持するように該ビームに取り付けられるＵ字形取り付け用部分、および該取り付け用部分から、前記開口端部の関連する一方の周りに側方に延びるとともに、該関連する一端の前記前壁に取り付けられる場所まで前方に延びる外側フランジとを有する、一対の取り付け用ブラケットと
を備える、車両用のバンパーシステム。
【請求項１３】
車両用のバンパーシステムであって、
開口端部を有する管状ビームと、
それぞれが、車両上で前記ビームを支持するように該ビームに取り付けられるＵ字形取り付け用部分、および該取り付け用部分から、前記開口端部の関連する一方の周りに側方に延びるとともに、該関連する一端の前記前壁に取り付けられる場所まで前方に延びる外側フランジとを有する、一対の取り付け用ブラケットと
を備え、
前記取り付け用部分および前記外側フランジは、合わせてＷ字形ブラケットを形成する、車両用のバンパーシステム。
【請求項１４】
前記外側フランジは、弾性かつたわみ性があり、前記ビームに取り付けられておらず、かつ該ビームの前記関連する開口端部から離隔している中間部分を含む、請求項１２に記載のバンパーシステム。
【請求項１５】
前記一対の取り付け用ブラケットはそれぞれ、一定の断面形状を有し、該取り付け用ブラケットの一方は、該取り付け用ブラケットの他方の鏡像である、請求項１２に記載のバンパーシステム。
【請求項１６】
車両用のバンパーシステムであって、
対向端部を有する管状ビームと、
それぞれが、車両上で前記ビームを支持するように該ビームの後面に取り付けられる取り付け用部分を有し、さらにそれぞれが、前記対向端部の関連する一方から離隔しているとともに、前記取り付け用部分から、前記関連する対向端部を側方に覆って該関連する一端の前面まで延びる外側フランジを有する、一対の取り付け用ブラケットと
を備える、車両用のバンパーシステム。
【請求項１７】
前記外側フランジは弾性部分を含む、請求項１６に記載のバンパーシステム。
【請求項１８】
前記外側フランジは、内部に一体形成される平行な補強溝路を含む、請求項１６に記載のバンパーシステム。
【請求項１９】
車両用のバンパーシステムであって、
対向端部および第１前面を有するビームと、
車両上で前記ビームを支持するように該ビームに取り付けられる取り付け用ブラケットと、
前記第１前面と係合するとともに前記端部まで延び、かつ第２前面を有するエネルギー吸収体と
を備え、
前記取り付け用ブラケットはそれぞれ、前記端部の関連する一方の周りに延び、かつ前記エネルギー吸収体の前記第２前面とほぼ整列して該第２前面から外側に延びる第３前面を有する外側脚部を含む、車両用のバンパーシステム。
【請求項２０】
前記ビームは長手方向に湾曲しており、前記外側脚部それぞれの前記第３前面は、前記ビームの前記関連する端部の前記第１前面とともに後方角を画定し、前記車両の非正方形空力形状コーナを形成する、請求項１９に記載のバンパーシステム。
【請求項２１】
前記ビームの前記端部の内部には、コーナ衝突中のエネルギー吸収を向上させるために前記ビームを戦略的に弱めるように窓が形成される、請求項１、１２、１６または１９に記載のバンパーシステム。